【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】
光信号の偏光成分を混合するための光学サブアセンブリであって、
１対の光ラインから第１と第２の光ビームを受光して、前記第１の光ビームを第１と第２の偏光成分に分離し、前記第２の光ビームを第３と第４の偏光成分に分離するように配置された分離手段と、
前記分離手段と光学的にアライメントがとられて、前記第１の光ビームの前記第１と第２の偏光成分が、前記第２の光ビームの前記第３と第４の偏光成分の少なくとも一方に対して垂直に配向するように、前記偏光成分を選択的に回転させる回転手段と、
前記回転手段に光学的に結合されて、前記第１と第２の光ビームの選択された偏光成分のアライメントを光学的にとり、第３と第４の光ビームを形成する結合手段とを含み、
前記第３と第４の光ビームが、それぞれ、前記第１の光ビームの前記第１と第２の偏光成分の一方、及び前記第２の光ビームの前記第３と第４の偏光成分の一方を含み、前記結合手段が、前記第３と第４の光ビームを放射する出力ポートを有する、光学サブアセンブリ。
【請求項２】
前記１対の光ラインが、前記分離手段の前面に隣接して配置された２つの熱膨張コア（ＴＥＣ）光ファイバである、請求項１に記載の光学サブアセンブリ。
【請求項３】
前記回転手段が、前記偏光成分の伝搬光路に従って、前記第１と第２の光ビームの前記偏光成分の交互の回転を与えるように構成された非磁性偏光回転子である、請求項１に記載の光学サブアセンブリ。
【請求項４】
前記非磁性偏光回転子が、複数の二分の一波長板の構成を含み、前記二分の一波長板のそれぞれが、前記交互の回転のうちの１つを与える、請求項３に記載の光学サブアセンブリ。
【請求項５】
前記複数の二分の一波長板の構成が、隣接した第１と第２の二分の一波長板により形成された第１の分割二分の一波長コンポーネントを含み、前記第１と第２の二分の一波長板のそれぞれが、別個の偏光回転を与える、請求項４に記載の光学サブアセンブリ。
【請求項６】
前記複数の二分の一波長板の構成が、前記第１の分割二分の一波長コンポーネントと光学的にアライメントがとられた第２の分割二分の一波長コンポーネントをさらに含み、前記第２の分割二分の一波長コンポーネントが、隣接した第３と第４の二分の一波長板から形成されており、前記第１と第２の分割二分の一波長コンポーネントは、前記第１と第２の光ビームの前記偏光成分の各々が前記二分の一波長板の一意の対を通って伝搬するように、配置されている、請求項５に記載の光学サブアセンブリ。
【請求項７】
前記複数の二分の一波長板の構成が、３つの前記二分の一波長板によって形成されるトライレベル二分の一波長コンポーネントを含み、前記３つの二分の一波長板によって、前記交互の回転が与えられる、請求項４に記載の光学サブアセンブリ。
【請求項８】
前記分離手段が、所定のウォークオフ方向を有する第１のウォークオフ結晶を含む、請求項１に記載の光学サブアセンブリ。
【請求項９】
前記分離手段が、前記第１のウォークオフ結晶の前記所定のウォークオフ方向に直交するウォークオフ方向を有する第２のウォークオフ結晶をさらに含む、請求項８に記載の光学サブアセンブリ。
【請求項１０】
前記分離手段が、前記所定のウォークオフ方向と逆のウォークオフ方向を有する第２のウォークオフ結晶をさらに含む、請求項８に記載の光学サブアセンブリ。
【請求項１１】
様々な光学装置を製作するためにビルディングブロックとして利用され得る光学サブアセンブリであって、
１対の光ラインから第１と第２の光ビームを受光するための入力ポートを有し、前記第１と第２の光ビームのそれぞれを２つの偏光成分に分離するための結晶性材料から製作されている第１の光学ユニットと、
前記第１の光学ユニットと光学的にアライメントがとられて、前記第１の光ビームの前記２つの偏光成分を、前記第２の光ビームの前記２つの偏光成分の少なくとも一方の配向に対して直交する平行な配向にアライメントをとるように構造的に構成されている、光学回転子と、
前記第１の光学ユニットに光学的に接続され、前記結晶性材料から製作されて、第３と第４の光ビームを形成するために前記偏光成分を結合するように構成されている第２の光学ユニットを含み、
前記第３と第４の光ビームがそれぞれ、前記第１の光ビームの前記２つの偏光成分の一方、及び前記第２の光ビームの前記２つの偏光成分の一方を含み、前記第２の光学ユニットが、前記第３と第４の光ビームを放射する出力ポートを前記第２の光学ユニットの背面に有する、光学サブアセンブリ。
【請求項１２】
前記光学回転子が、前記第２の光ビームの前記一方の偏光成分に対して前記第１の光ビームの前記２つの偏光成分の前記直交するアライメントを提供するように配置された二分の一波長板からなる、請求項１１に記載の光学サブアセンブリ。
【請求項１３】
前記光学回転子が、前記第１と第２の光ビームの伝搬方向に実質的に垂直な平面に並べて置かれた２つの前記二分の一波長板により形成された分割二分の一波長コンポーネントを含む、請求項１２に記載の光学サブアセンブリ。
【請求項１４】
前記光学回転子が、前記第１と第２の光ビームの伝搬方向に実質的に垂直な平面に並べて置かれた３つの前記二分の一波長板により形成されたトライレベル二分の一波長コンポーネントを含む、請求項１２に記載の光学サブアセンブリ。
【請求項１５】
前記１対の光ラインが、２つの熱膨張コア（ＴＥＣ）光ファイバであり、前記ＴＥＣ光ファイバが、前記第２の光学ユニットの前記出力ポートと光学的にアライメントがとられている、請求項１１に記載の光学サブアセンブリ。
【請求項１６】
光学サブアセンブリを利用して、光信号の偏光成分を混合する方法であって、
前記光学サブアセンブリの前面に配置された入力ポートで第１と第２の光ビームを受光するステップと、
前記光学サブアセンブリ内において、前記第１と第２の光ビームのそれぞれを２つの偏光成分に空間的に分離するステップと、
前記第１の光ビームの前記２つの偏光成分が、平行で、且つ前記第２の光ビームの前記２つの偏光成分のうち少なくとも一方に対して直交するように、前記第１と第２の光ビームの前記偏光成分を選択的に回転させるステップと、
前記第１と第２の光ビームの前記４つの偏光成分から第３と第４の光ビームを形成するステップであって、前記第３と第４の光ビームのそれぞれが、前記第１の光ビームの前記２つの偏光成分のうちの一方と前記第２の光ビームの前記２つの偏光成分のうちの一方との組み合わせになるようにする、ステップと、
前記光学サブアセンブリの背面に配置された出力ポートを介して、前記光学サブアセンブリから前記第３と第４の光ビームを伝送するステップとを含む、方法。
【請求項１７】
前記第１と第２の光ビームを前記光学サブアセンブリに伝送するために、第１と第２の熱膨張コア（ＴＥＣ）光ファイバを設けるステップをさらに含む、請求項１６に記載の方法。
【請求項１８】
前記第１と第２の光ビームの前記偏光成分を選択的に回転させる前記ステップが、前記第１と第２の光ビームの選択された偏光成分の配向を非磁気的に変化させることを含む、請求項１６に記載の方法。
【請求項１９】
前記第１と第２の光ビームの前記偏光成分を選択的に回転させる前記ステップが、前記第１と第２の光ビームのそれぞれからの前記２つの偏光成分のうちの一方を直交するように回転することを含む、請求項１６に記載の方法。
【請求項２０】
前記第１と第２の光ビームのそれぞれを空間的に分離する前記ステップと、前記第３と第４の光ビームを形成する前記ステップのそれぞれが、ウォークオフ結晶を利用して、前記第１と第２の光ビームの前記４つの偏光成分を選択的に変位させることを含む、請求項１６に記載の方法。